(57)【要約】【課題】耳穴装着に適した骨伝導レシーバを提供する。【解決手段】圧電振動子と、それを覆うベース、ウェイトカバーと、制振ダンパーと、ベースの中央部に設けられ垂直に延びるロッドと、その先端に設けられたイヤーピースとからなる。圧電振動子の中心をベースに当接せしめる。ベースの周辺部を薄くしてエッジ部を設ける。ロッドに音波誘導孔を設ける。音波誘導孔に開閉チューブを設ける。ウェイトカバーは、所定の重量を持つ。接着又は圧接により、圧電振動子の中心をベースに当接せしめる。圧電振動子は円板状又は長方形の形状の電極板の表面にＰＺＴ（チタン酸ジルコン酸鉛重合体）の薄膜を形成してなる。【選択図】図１
2010087810.tif 000002
【特許請求の範囲】
【請求項１】
板状の圧電振動子と、
該圧電振動子に電気信号を伝える信号線と、
前記圧電振動子の振動を伝える側の筐体であり、前記圧電振動子を覆う形状をしたベースと、
該ベースと前記圧電振動子との間に介在して、前記圧電振動子を該ベースの内側に固定する制振ダンパーと、
前記圧電振動子の振動を伝える側とは反対側の筐体であり、前記圧電振動子を覆う形状をしたウェイトカバーと、
前記ベースの中央部に設けられ、前記圧電振動子の面に対して垂直に延びる円筒状のロッドと、
耳穴に挿入する際に安定して適合するようクッションの働きをすべく該ロッドの先端に設けられたイヤーピースと
からなる耳穴式骨伝導レシーバ。
【請求項２】
請求項１に記載した耳穴式骨伝導レシーバであって、
。  前記圧電振動子の中心を前記ベースに当接せしめたことを特徴とする耳穴式骨伝導レシーバ。
【請求項３】
請求項１又は２のいずれか一に記載した耳穴式骨伝導レシーバであって、
前記ベースのロッドを設けた部分の周辺部の厚さを薄くしてエッジ部を設けたことを特徴とする耳穴式骨伝導レシーバ。
【請求項４】
請求項１，２又は３のいずれか一に記載した耳穴式骨伝導レシーバであって、
前記ロッドのベースに近い個所に横穴を開けて、外気の空気振動を該ロッド内部に導く音波誘導孔を設けたことを特徴とする耳穴式骨伝導レシーバ。
【請求項５】
請求項４に記載した耳穴式骨伝導レシーバであって、
前記音波誘導孔を覆ったり、開けたりすべく、前記ロッドを覆う円筒状の開閉チューブを設けたことを特徴とする耳穴式骨伝導レシーバ。
【請求項６】
請求項１，２，３，４又は５のいずれか一に記載した耳穴式骨伝導レシーバであって、
前記ウェイトカバーは、内部の空気振動が該ウェイトカバーを介して外部に漏れないよう所定の重量を持つことを特徴とする耳穴式骨伝導レシーバ。
【請求項７】
請求項２に記載した耳穴式骨伝導レシーバであって、
接着剤による接着により、前記圧電振動子の中心を前記ベースに当接せしめることを特徴とする耳穴式骨伝導レシーバ。
【請求項８】
請求項２に記載した耳穴式骨伝導レシーバであって、
前記ウェイトカバーの内側中央部に突起を設けて、その突起により前記圧電振動子の中心を前記ベースに押し当てて圧接することにより、当接せしめることを特徴とする耳穴式骨伝導レシーバ。
【請求項９】
請求項１，２，３，４，５，６，７又は８のいずれか一に記載した耳穴式骨伝導レシーバであって、
前記圧電振動子は円板状であることを特徴とする耳穴式骨伝導レシーバ。
【請求項１０】
請求項１，２，３，４，５，６，７又は８のいずれか一に記載した耳穴式骨伝導レシーバであって、
前記圧電振動子は長方形の形状を有するものであることを特徴とする耳穴式骨伝導レシーバ。
【請求項１１】
請求項１，２，３，４，５，６，７，８，９又は１０のいずれか一に記載した耳穴式骨伝導レシーバであって、
前記圧電振動子は、電極板の表面にＰＺＴ（チタン酸ジルコン酸鉛重合体）の薄膜を形成してなるものであることを特徴とする耳穴式骨伝導レシーバ。
【発明の詳細な説明】
【技術分野】
【０００１】
本発明は、耳穴式骨伝導レシーバ、すなわち人体の耳穴に挿入して用いる、骨伝導レシーバに関する。
【背景技術】
【０００２】
特許文献１には、圧電式骨伝導レシーバが開示されている。密閉ケース内に配設した圧電振動子により音声等を振動として装着者の頭部の骨に直接伝える圧電式骨伝導レシーバであって、前記密封ケースの接触面には、周方向に沿って薄肉なエッジ部が形成されるとともに、この薄肉なエッジ部により取り囲まれた接触面の内側には、圧電振動子が中心を支持された状態で配設され、この圧電振動子の相対向する周辺部分には、変形錘が搭載して設けられていることを特徴とするものである。
【０００３】
特許文献２には、軟骨伝導スピーカが開示されている。電極板の表裏両面にＰＺＴ（チタン酸ジルコン酸鉛重合体）の薄膜を形成してなる２枚の圧電振動子と、該２枚の圧電振動子を互いに平行に所定の間隔を保ちつつその周辺を連結するスペーサと、前記２枚の圧電振動子に互いに逆動作させるべく、二つの極性を持つ電気信号のうち、一方を前記圧電振動子の電極板に、もう一方を前記圧電振動子のＰＺＴ薄膜部分に伝える導線と、前記２枚の圧電振動子のうち、一方を弾性部材を介して使用者の耳近傍の軟骨に接触させる接触パッドからなるものである。
【０００４】
特許文献３には、フロント圧電振動板にリア圧電振動子及びエアダンパを付加した圧電スピーカが開示されている。フロント圧電振動板（圧電振動子）に接続ロッドを介して、ユニモルフ又はバイモルフタイプのリア圧電振動子（圧電振動板）を連結し、更にエアダンパ室を付設して低音域のみならず、広帯域での音圧レベルの向上と平坦化、音質の向上を実現する。
【０００５】
特許文献４には、小型の骨伝導スピーカが開示されている。一端が開口し、前記一端の反対面となる他端に底体を有する筒状のケースと、前記底体に第１の端が固定され、前記第１の端の反対側となる第２の端が前記開口から突出する薄板形状の振動体と、前記振動体の少なくとも１面に重ねて取り付けられる両面に電極を有する圧電素子と、前記ケース内外に亘って延在し、前記圧電素子に電気を供給するコードとを有し、前記振動体の前記第２の端は、前記圧電素子の動作によって所定の振り幅で振動するように構成されているスピーカである。
【特許文献１】特開２００８−１７８０５１号公報
【特許文献２】特開２００８−１４８０８６号公報
【特許文献３】特開２００８−０６１２１０号公報
【特許文献４】特開２００７−０９６３８６号公報
【発明の開示】
【発明が解決しようとする課題】
【０００６】
従来の骨伝導スピーカは、軟骨や乳様突起に振動を伝えるものであった。そのために粘着パッドで使用者の肌に固定したり、耳介に引っ掛けることにより固定したりしていた。
【０００７】
本発明の目的は、耳穴（外耳道のうち耳介に近いあたり）に装着して用いるのに適した耳穴式骨伝導レシーバを提供することにある。
【課題を解決するための手段】
【０００８】
本発明に係る耳穴式骨伝導レシーバは、板状の圧電振動子と、該圧電振動子に電気信号を伝える信号線と、前記圧電振動子の振動を伝える側の筐体であり、前記圧電振動子を覆う形状をしたベースと、該ベースと前記圧電振動子との間に介在して、前記圧電振動子を該ベースの内側に固定する制振ダンパーと、前記圧電振動子の振動を伝える側とは反対側の筐体であり、前記圧電振動子を覆う形状をしたウェイトカバーと、前記ベースの中央部に設けられ、前記圧電振動子の面に対して垂直に延びる円筒状のロッドと、耳穴に挿入する際に安定して適合するようクッションの働きをすべく該ロッドの先端に設けられたイヤーピースとからなる。
【０００９】
請求項２に記載した発明は、請求項１に記載した耳穴式骨伝導レシーバであって、前記圧電振動子の中心を前記ベースに当接せしめたものである。
【００１０】
請求項３に記載した発明は、請求項１又は２のいずれか一に記載した耳穴式骨伝導レシーバであって、前記ベースのロッドを設けた部分の周辺部の厚さを薄くしてエッジ部を設けたものである。
【００１１】
請求項４に記載した発明は、請求項１，２又は３のいずれか一に記載した耳穴式骨伝導レシーバであって、前記ロッドのベースに近い個所に横穴を開けて、外気の空気振動を該ロッド内部に導く音波誘導孔を設けたものである。
【００１２】
請求項５に記載した発明は、請求項４に記載した耳穴式骨伝導レシーバであって、前記音波誘導孔を覆ったり、開けたりすべく、前記ロッドを覆う円筒状の開閉チューブを設けたものである。
【００１３】
請求項６に記載した発明は、請求項１，２，３，４又は５のいずれか一に記載した耳穴式骨伝導レシーバであって、
前記ウェイトカバーは、内部の空気振動が該ウェイトカバーを介して外部に漏れないよう所定の重量を持つものである。
【００１４】
請求項７に記載した発明は、請求項２に記載した耳穴式骨伝導レシーバであって、接着剤による接着により、前記圧電振動子の中心を前記ベースに当接せしめるものである。
【００１５】
請求項８に記載した発明は、請求項２に記載した耳穴式骨伝導レシーバであって、前記ウェイトカバーの内側中央部に突起を設けて、その突起により前記圧電振動子の中心を前記ベースに押し当てて圧接することにより、当接せしめるものである。
【００１６】
請求項９に記載した発明は、請求項１，２，３，４，５，６，７又は８のいずれか一に記載した耳穴式骨伝導レシーバであって、前記圧電振動子は円板状であるものである。
【００１７】
請求項１０に記載した発明は、請求項１，２，３，４，５，６，７又は８のいずれか一に記載した耳穴式骨伝導レシーバであって、前記圧電振動子は長方形の形状を有するものである。
【００１８】
請求項１１に記載した発明は、請求項１，２，３，４，５，６，７，８，９又は１０のいずれか一に記載した耳穴式骨伝導レシーバであって、前記圧電振動子は、電極板の表面にＰＺＴ（チタン酸ジルコン酸鉛重合体）の薄膜を形成してなるものである。
【発明の効果】
【００１９】
本発明は、以上のように構成されているから、次のような利点がある。
【００２０】
圧電振動子の振動がロッドとイヤーピースを介して、外耳道の入り口付近に伝わるから、その付近の軟骨又は骨に伝えることができる。
【００２１】
圧電振動子の中心をベースに当接せしめたので、振動が効率よくロッドに伝わる。
【００２２】
ベースの周辺部の厚さを薄くしてエッジ部を設けたので、圧電振動子の周辺部の逆位相による振動をも生かしてロッド部に伝えることができ、振動エネルギーの損失を最小限に抑えることができる。
【００２３】
外気の空気振動をロッド内部に導く音波誘導孔を設けたので、外気から伝わる環境音を外耳道に、ひいては鼓膜へと導くことができる。
【００２４】
音波誘導孔を設けたので、気道（外耳道）を塞ぐことによる不快感を除去できる。
【００２５】
音波誘導孔を開閉する開閉チューブを設けたので、周りの環境に応じて、あるいは使用用途に応じて、音波誘導孔の開け閉めの調整が可能である。
【００２６】
ウェイトカバーをある程度の重量を有するものとしたので、圧電振動子により内部に生ずる空気振動がロッド方向以外の向きに漏れることを防止できる。
【００２７】
圧電振動子の中心を接着剤による接着によりベースに当接せしめることで、振動エネルギーを確実にロッドに伝えることができる。
【００２８】
圧電振動子の中心をウェイトカバーの内側中央部に設けた突起によりベースに押し当てて圧接することにより、組立工程の簡略化がなされる。
【００２９】
圧電振動子の形状を円板状とすることにより、従来普及している一般的なイヤホンと類似の形状にすることができる。
【００３０】
圧電振動子の形状を長方形の形状とすることにより、よりスリムで斬新なデザインのレシーバを提供できる。
【００３１】
圧電振動子を電極板の表面にＰＺＴ（チタン酸ジルコン酸鉛重合体）の薄膜を形成したものとすることにより、簡単な構成のレシーバを提供できる。
【発明を実施するための最良の形態】
【００３２】
本発明は、耳穴式骨伝導レシーバの形状及び構造に関するものである。板状の圧電振動子（電気信号を音声信号に変換する圧電セラミックス振動子）を用いて骨伝導スピーカ、骨伝導レシーバが実現できることは、背景技術の項で述べたとおりである。
【００３３】
本発明では、板状の圧電振動子をベースとウェイトカバーではさみ込む。ベースの中央部に垂直にロッドを立てて、そのロッドを介して耳穴に振動を伝える。ベースとロッドとは、一体的に成型することができる。ベースの周辺部には、薄厚の部分（エッジ部）が設けられる。エッジ部は、同心円状にロッドの周辺に広がる。
【００３４】
ロッドの先端部にはイヤーピースが設けられ、耳穴への装着をスムーズにせしめる。ロッドにはさらに横穴（音波誘導孔）が設けられる。そして、その部分には、円筒状の開閉チューブが周方向に摺動するように設けられて、音波誘導孔を開いたり閉じたりする。
【００３５】
この圧電式骨伝導レシーバを組み立てるには、まず圧電振動子に信号線（導線）を取り付けたものの周辺部に環状の制振ダンパーを取り付けて、ロッド付きベース（ロッドとベースを一体的に成型したもの）の中央部に接着剤で接着する。そして、ウェイトカバーを装着する。その後、開閉チューブをはめ込み、イヤーピースをはめ込む。
【実施例１】
【００３６】
以下、図１、２、３及び４を参照しつつ、実施例１について説明する。
【００３７】
図１は、本発明に係る耳穴式骨伝導レシーバの振動伝達方向の断面図である。この図では、開閉チューブは、閉じている状態である。圧電振動子１０は、円板状の金属板の表面にＰＺＴ（チタン酸ジルコン酸鉛重合体）の薄膜を形成せしめたものであり、図１では図示を省略したが圧電振動子１０に電気信号を伝える信号線１２がつながれる。
【００３８】
圧電振動子１０を包み込む筐体は、ベース２０とウェイトカバー３０とにより、形成される。ベース２０とウェイトカバー３０とは、いずれも皿に似た形状を有しており、はめ合わせることができる。それらをはめ合わせることでできる空間に圧電振動子１０が収納され、外の衝撃などから保護される。
【００３９】
圧電振動子１０の周囲には、環状の制振ダンパー１５がベース２０との間に介在し、圧電振動子の寄生振動の制御と、周波数の特性改善及び製造上の姿勢の安定化に寄与する。
【００４０】
圧電振動子１０の中心部は、ベース２０の中心部に当接させる。圧電振動子１０の振動を効率よくロッド２５に伝達するためである。ここで「当接」は、接着剤による接着、ウェイトカバー３０の内側中央部に突起を設けてそれにより押しつける圧接などを含むものである。圧接を実現するには、ウェイトカバー２０の成型の際に突起物をも一体的に成型してなすか、あるいは、ウェイトカバーの中央部にねじ穴を設けてこのレシーバを組立後にねじによる押しつけをする。ねじによる場合は事後的な調整が可能である。
【００４１】
ベース２０とロッド２５とは、一体的に成型することが、強度の面からも、振動伝達の面からも望ましい。ロッド２５は、圧電振動子１０の振動を使用者の耳穴に伝達する役割をもつ重要な部材であり、円筒状をしており、ベース２０の外側の中心部に垂直に立つ。
【００４２】
ベース２０のロッド２５を囲む環状の周辺部は、薄厚の部分（エッジ部２６）として形成される。圧電振動子１０の振動エネルギーの損失を最小限に抑えるために、圧電振動子１０の周辺部の逆位相による振動を生かしてベース２０、ロッド２５に伝達するためである。
【００４３】
ウェイトカバー３０は、振動を伝えたい側とは反対側の筐体であり、内部の空気振動が外部に漏れにくくするため、重量をもたせる。
【００４４】
ロッド２５のベース２０に近い部分に横穴を設けて音波誘導孔２７を形成する。外気の空気振動をロッド内部に導くとともに、気道を塞ぐことによる使用者の不快感を除去するためである。
【００４５】
さらに、音波誘導孔２７を覆うように円筒状の開閉チューブ２８を周方向に摺動可能に設ける。開閉チューブ２８には、音波誘導孔２７と同様の穴が開けられており、それら二つの穴が重なり合うように、開閉チューブ２８を動かしたときに、音波誘導孔２７が全開状態になる。
【００４６】
開閉チューブ２８をそれとはまったく反対側、すなわち１８０度回転させた位置に動かしたときには、完全に閉じた状態になる。図１に示したのは、開閉チューブ２８を１８０度回転させて、音波誘導孔が完全に閉じた状態である。開閉チューブ２８を回転させる度合いを調整することにより、音波誘導孔２７を完全に開放することと、完全に閉じることとの間の調整が可能である。
【００４７】
イヤーピース２９は、このレシーバを耳穴に装着した時の安定度を得るためのクッションである。
【００４８】
図２は、信号線取り出し口３２を示す図である。ウェイトカバー３０のベース２０との境目に近い適当な場所に信号線取り出し口３２が設けられる。信号線取り出し口３２は、信号線１２が何らかの力で引っ張られた場合であっても、信号線１２と圧電振動子１０との電気的接続が阻害されないよう必要な強度で信号線１２を把持する。
【００４９】
図３は、開閉チューブが開いている状態を示す図である。このとき、開閉チューブ２８に開けられた穴がロッド２５に開けられた音波誘導孔２７と完全に重なり合っている。外気の空気振動は、音波誘導孔２７を入り、図３の太い二点鎖線矢印の方向に向かって進んで、使用者の外耳道に入る。このレシーバの使用者が聴覚障害を有しない健常者である場合は、これにより周囲の音をも聴くことが可能となる。また、聴覚障害者の場合であっても、外耳道（気道）を塞ぐことによる不快感を除去できる。
【００５０】
図４は、圧電振動子が円板状である場合について全体の外観をウェイトカバー側から見た図である。ウェイトカバー３０の中心部にいくつか破線で同心円が描かれている。ベース２０の圧電振動子１０との当接部分、ロッド２５、開閉チューブ２８、イヤーピース２９などの広がりを描いたものである。
【００５１】
図４を見てわかるように、このレシーバは、従来から普及しているイヤホンの形状に似たものである。
【実施例２】
【００５２】
図５は、圧電振動子が長方形状である場合について全体の外観をウェイトカバー側から見た図である。実施例１では、圧電振動子１０は円板状のものであったが、実施例２では、長方形状である。制振ダンパーを長方形の短辺側に設ける、エッジ部派、長方形の短辺に近い側に限定するなどの変更を実施例１に施すことにより、圧電振動子が長方形状のレシーバをも作ることができる。これにより設計の自由度が広がり、よりスリムでデザイン性の高いレシーバを提供できる。
【産業上の利用可能性】
【００５３】
この耳穴式骨伝導レシーバは、圧電振動子用に電気信号を変換し増幅する専用のアンプ回路を介して、さまざまな音響機器の出力機器として用いることができる。たとえばＭＰ３プレイヤ、ＣＤプレイヤ、ラジオ、テレビ、携帯電話などに利用可能である。
【図面の簡単な説明】
【００５４】
【図１】本発明に係る耳穴式骨伝導レシーバの振動伝達方向の断面図である。この図では、開閉チューブは、閉じている状態である。
【図２】信号線取り出し口を示す図である。
【図３】開閉チューブが開いている状態を示す図である。
【図４】圧電振動子が円板状である場合について全体の外観をウェイトカバー側から見た図である。
【図５】圧電振動子が長方形状である場合について全体の外観をウェイトカバー側から見た図である。
【符号の説明】
【００５５】
１０  圧電振動子
１２  信号線
１５  制振ダンパー
２０  ベース
２５  ロッド
２６  エッジ部
２７  音波誘導孔
２８  開閉チューブ
２９  イヤーピース
３０  ウェイトカバー
３２  信号線取り出し口
【図１】
2010087810.tif 000003
【図２】
2010087810.tif 000004
【図３】
2010087810.tif 000005
【図４】
2010087810.tif 000006
【図５】
2010087810.tif 000007